(57)【特許請求の範囲】
【請求項１】
タイヤの状態を集めるセンサーモジュールを前記タイヤのインナーライナー上の設置地点に設置するセンサー設置構造の製造方法であって、前記センサー設置構造は
前記センサーモジュールを内部に含むセンサーモジュールハウジング；
伸縮可能な素材からなり、前記タイヤの内部表面と結合する結合部及び前記センサーモジュールハウジングを前記設置地点に密着させ、密着状態を保持する機能を備える加圧部をそれぞれ含む一つ以上のセンサーパッチ；
を含んでなり、
前記加圧部は、伸長してから収縮しながら前記センサーモジュールハウジングの上面に下方圧力を加える構成において、
前記センサーパッチは、前記インナーライナーの厚さの２０〜１２０％の厚さに形成され、
前記センサーモジュールハウジングは、
下方圧力を受けるための上面の面積よりも前記設置地点と密着する下面の面積が大きく、かつ、上面に所定形状の固定突部が形成され、前記上面と前記下面と前記固定突部が互いに同心の円形断面であり、
前記センサーパッチは、長方形または楕円形のバンドからなり、前記結合部は、前記バンドの両側端部のそれぞれに形成されると共に、前記固定突部が挿入される固定ホール部を備え、
前記固定ホール部及び前記固定突部は、互いに結合され、前記センサーモジュールハウジングが前記設置地点から側方向に離脱することを防止する機能を有する
構成であって、
前記結合部と前記タイヤの内部表面との結合は、加硫工程によって行い、
前記加硫工程中に前記加圧部の表面と前記タイヤの内部表面が互いに付着することを防止するために、前記加圧部の下部に加圧部−タイヤ付着防止構造を位置させ、
前記加圧部−タイヤ付着防止構造は、加硫工程の温度で溶融しない高温ポリマー材質からなり、
前記加圧部−タイヤ付着防止構造の厚さは、前記センサーパッチの厚さの２０乃至５０パーセントであり、
前記加圧部−タイヤ付着防止構造は、除去を容易にするための把持機能を提供するエゼクターをさらに含む
ことを特徴とするタイヤセンサー設置構造の製造方法。
【請求項２】
前記センサーモジュールハウジングの前記固定突部と、前記下面との直径の比が略１：３である
請求項１に記載のタイヤセンサー設置構造の製造方法。
【請求項３】
前記固定突部の内部にアンテナを備える
請求項１又は２に記載のタイヤセンサー設置構造の製造方法。
【請求項４】
前記タイヤセンサー設置構造は、前記センサーパッチを２つ以上備え、
前記２つ以上のセンサーパッチは、互いに交差するように配置され、それぞれの加圧部がいずれも前記設置地点上に位置することを特徴とする請求項１に記載のタイヤセンサー設置構造の製造方法。
【請求項５】
前記センサーパッチは、エチレン酢酸ビニル共重合体（ＥＶＡ）、合成ゴム、天然ゴム、ウレタンからなる群から選択される少なくとも１種以上のホモ重合体またはこれらの単量体の共重合体からなることを特徴とする請求項１に記載のタイヤセンサー設置構造の製造方法。
【請求項６】
前記センサーパッチは、前記インナーライナーと同じ材質からなることを特徴とする請求項１に記載のタイヤセンサー設置構造の製造方法。
【請求項７】
前記結合部は、前記センサーパッチの外郭縁の全体または一部に所定の幅に形成され、
前記加圧部上の所定の位置には、大きさが拡張されて前記センサーモジュールハウジングが挿入された後に、大きさが初期状態に復元されるセンサー挿入ホールが形成されており、
前記センサーパッチと前記タイヤの内部表面からなる空間の内部に前記センサーモジュールハウジングが固定されることを特徴とする請求項１に記載のタイヤセンサー設置構造の製造方法。
【請求項８】
前記タイヤセンサー設置構造の製造方法において、
（ｉ）前記加圧部に力を加えて前記センサーパッチを上方向に伸長させる段階；
（ｉｉ）前記加圧部の下部に前記センサーモジュールハウジングを位置させる段階；
（ｉｉｉ）前記固定突部と前記固定ホール部を互いに結合する段階；
（ｉｖ）前記センサーパッチを伸長させる力を除去して、前記センサーパッチが収縮しながら前記センサーモジュールハウジングに下方圧力を加える段階；
（ｖ）前記センサーパッチが前記センサーモジュールハウジングの前記タイヤの内部表面との密着状態を保持する段階；
を含んでなることを特徴とする請求項1に記載のタイヤセンサー設置構造の製造方法。
【請求項９】
前記（ｉ）段階の前に、前記センサーモジュールハウジングの一部位に接着剤を塗布する段階；をさらに含むことを特徴とする請求項８に記載のタイヤセンサー設置構造の製造方法。
【請求項１０】
前記タイヤセンサー設置構造の製造方法において、
（ａ）前記センサー挿入ホールに力を加えて大きさを拡大する段階；
（ｂ）前記（ａ）段階で拡大されたセンサー挿入ホールを通じて前記センサーモジュールハウジングを挿入する段階；
（ｃ）前記センサー挿入ホールを拡大する力を除去して、前記センサーパッチが収縮しながら前記加圧部がセンサーモジュールハウジングに下方圧力を加える段階；
（ｄ）前記センサーパッチが前記センサーモジュールハウジングの前記タイヤの内部表面との密着状態を保持する段階；
を含んでなることを特徴とする請求項７に記載のタイヤセンサー設置構造の製造方法。
【発明の詳細な説明】
【技術分野】
【０００１】
本発明は、タイヤにセンサーモジュールを設置する設置構造及びその製造方法に関するもので、さらに詳しくは、伸縮可能な素材からなり、タイヤの内部表面への結合部及びセンサーモジュールハウジングを設置地点に密着させる加圧部をそれぞれ含む一つ以上のセンサーパッチを備えて、センサーモジュールの装着及び脱去の作業性に優れ、様々なセンサー及び様々な付着位置に適用可能であり、センサーモジュールの装着信頼性を増大させるという長所を有するタイヤセンサー設置構造を提供する。
【背景技術】
【０００２】
最近、タイヤ内部に空気圧、温度、加速度のデータを集めることのできるセンサーモジュールを設置し、これらのセンサーモジュールから集められたデータを処理して、運転者に各種の情報を提供するシステムが常用開発されて適用されている。
【０００３】
タイヤは、車両運行の際に高速に回転し、急激な減加速をされるため、タイヤのためのセンサーモジュールをタイヤの内部に設置する場合に、センサーモジュールはこのような設置条件下で様々な方向の横力、回転モメントなどに晒される状況である。これに、タイヤ内部にセンサーモジュールを頑固でありながらも信頼性のあるように設置する構造に対する技術が開発されている。
【０００４】
タイヤにセンサーモジュールを付着する方式は、多様に開発されているが、例えば、接着剤を活用する接着式の場合、走行中に発生するタイヤの発熱によって付着性能はさらに低くなるしかない。また、ビーズやトレッド重なりなどタイヤ素材の内部及びリム（ｒｉｍ）部位にセンサー類を付着する構成は、付着の信頼性が低く車両搭乗者の安全を危うくする要因になり得、タイヤ脱付着の際に部品が破損するなどの問題も発生する可能性が高い。
【０００５】
米国公開特許公報２００１−８７０５６９号（発明の名称：ｐｎｅｕｍａｔｉｃ  ｔｉｒｅ  ｍｏｎｉｔｏｒ、以下、従来技術１と称する）では、タイヤ、タイヤに設置されアンテナを備えるトランスポンダ、車両に固定設置される一つ以上のレシーバー、受信信号を処理する処理部を含んでなり、トランスポンダの回路は印刷回路基板に形成され、車輪ハブ軸と胴軸を有する保護ハウジングの内部に位置し、アンテナは、部分ループアンテナ、らせん状アンテナ、円形ダイポールアンテナ、無限ループアンテナに隣接する小型カップリングコイルのうちいずれかである空気タイヤ状態モニターシステムが開示されている。
【先行技術文献】
【特許文献】
【０００６】
【特許文献１】ＵＳ２００１−８７０５６９Ａ
【発明の概要】
【発明が解決しようとする課題】
【０００７】
従来技術１は、別の支持構造及び機械的な要素を通じて回路基板を車輪ハブ軸に固定するが、機械的な要素を利用して結合がなされる場合、タイヤの運行中に発生する様々な種類、大きさの振動、衝撃力などによって機械的要素の結合が解除される危険性が高いという第１問題点、回路基板は、車輪ハブ軸に位置するものに限定されることで、タイヤ内部の様々な位置にセンサーモジュールを設置することは不可能であるという第２問題点、これによって磨耗感知などの機能を行うセンサーを適用することができないという限界があるという第３問題点などを有する。
【課題を解決するための手段】
【０００８】
上記のような問題を解決すべく案出された本発明は、センサーモジュールを内部に含むセンサーモジュールハウジング、伸縮可能な素材からなり、タイヤの内部表面と結合する結合部及びセンサーモジュールハウジングを上記設置地点に密着させ、密着状態を保持する機能を備える加圧部をそれぞれ含む一つ以上のセンサーパッチを含んでなり、加圧部は、伸長してから収縮しながらセンサーモジュールハウジングの上面に下方圧力を加えることを特徴とするタイヤセンサー設置構造を提供する。
【０００９】
本発明の一実施例によると、センサーモジュールハウジングは、上面に所定形状の固定突部が形成され、センサーパッチは固定突部が挿入される固定ホール部を備え、固定ホール部及び上記固定突部は互いに結合され、センサーモジュールハウジングが設置地点から側方向に離脱することを防止する機能を行うことができる。
【００１０】
本発明の一実施例によると、センサーパッチは長方形または楕円形のバンドからなり、結合部は、バンドの両側端部のそれぞれに形成されることができる。
【００１１】
本発明の一実施例によると、タイヤセンサー設置構造は、センサーパッチを２つ以上備え、２つ以上のセンサーパッチは、互いに交差するように配置され、それぞれの加圧部がいずれも設置地点上に位置することができる。
【００１２】
本発明の一実施例によると、センサーパッチは、円、楕円、多角形のうちいずれかの形状からなり、上記結合部は、上記センサーパッチの外郭縁の全体または一部に所定の幅に形成され、上記加圧部上の所定の位置には、大きさが拡張されて上記センサーモジュールハウジングが挿入された後に、大きさが初期の状態に復元されるセンサー挿入ホールが形成されており、上記センサーパッチと上記タイヤの内部表面からなる空間の内部に上記センサーモジュールハウジングが固定されることができる。
【００１３】
本発明の一実施例によると、センサーモジュールハウジングは、上面に所定形状の固定突部が形成され、上記センサー挿入ホールは、上記固定突部が挿入されて互いに結合され、上記センサーモジュールハウジングが上記設置地点から側方向に離脱することを防止する機能をさらに行うことができる。
【００１４】
本発明の一実施例によると、センサーパッチは、エチレン酢酸ビニル共重合体（ＥＶＡ）、合成ゴム、天然ゴム、ウレタンからなる群から選択される少なくとも１種以上のホモ重合体またはこれらの単量体の共重合体からなることができる。
【００１５】
本発明の一実施例によると、タイヤセンサー設置構造は、タイヤのインナーライナー（ｉｎｎｅｒ  ｌｉｎｅｒ）上に形成されることができる。
【００１６】
本発明の一実施例によると、センサーパッチは、インナーライナーの厚さの２０〜１２０％の厚さに形成されることができる。
【００１７】
本発明の一実施例によると、センサーパッチは、インナーライナーと同じ材質からなることができる。
【００１８】
本発明の一実施例によると、結合部とタイヤの内部表面との結合は、接着工程または溶着工程からなることができる。
【００１９】
本発明の一実施例によると、結合部とタイヤの内部表面との結合は、加硫工程からなり、加硫工程中に加圧部の表面とタイヤの内部表面とが互いに付着することを防止するために、上記加硫工程の前に、上記加圧部の下部に加圧部−タイヤ付着防止構造を位置させることができる。
【００２０】
本発明の一実施例によると、加圧部−タイヤ付着防止構造は、加硫工程の温度で溶融しない高温ポリマー材質からなることができる。
【００２１】
本発明の一実施例によると、上記加圧部−タイヤ付着防止構造の厚さは上記センサーパッチの厚さの２０乃至５０パーセントであることができる。
【００２２】
本発明の加圧部−タイヤ付着防止構造は、除去を容易にするための把持機能を提供するエゼクターをさらに含むことができる。
【００２３】
本発明は、加圧部に力を加えてセンサーパッチを上方向に伸長させる段階、加圧部の下部に上記センサーモジュールハウジングを位置させる段階、固定突部と固定ホール部を互いに結合する段階、センサーパッチを伸長させる力を除去して、センサーパッチが収縮しながらセンサーモジュールハウジングに下方圧力を加える段階、センサーパッチがセンサーモジュールハウジングのタイヤの内部表面との密着状態を保持する段階を含んでなることを特徴とするタイヤセンサー設置構造の製造方法を提供する。
【００２４】
本発明の一実施例によると、加圧部に力を加えてセンサーパッチを上方向に伸長させる段階の前に、センサーモジュールハウジングの一部位に臨時または永久固定用接着剤を塗布する段階をさらに含むことができる。
【００２５】
本発明は、センサー挿入ホールに力を加えて大きさを拡大する段階、拡大されたセンサー挿入ホールを通じて上記センサーモジュールハウジングを挿入する段階、センサー挿入ホールを拡大する力を除去して、上記センサーパッチが収縮しながら上記加圧部がセンサーモジュールハウジングに下方圧力を加える段階、センサーパッチが上記センサーモジュールハウジングの上記タイヤの内部表面との密着状態を保持する段階を含んでなることを特徴とするタイヤセンサー設置構造の製造方法を提供する。
【００２６】
本発明のタイヤは、タイヤセンサー設置構造を一つまたは複数個備えることができる。
【発明の効果】
【００２７】
本発明は、センサーモジュールの設置のためにインナーライナーの表面を損傷する必要がなく、タイヤの製造工程中にセンサー設置構造が形成されるため追加の工程が不要であり、大量生産ができるという第１効果、センサーモジュールの設置と脱去の作業性が向上するという第２効果、センサーモジュールの設置地点とセンサーモジュールの種類を多様に適用できるという第３効果、バンドの形状及びセンサー挿入ホールの備えタイプなど、様々な形状のセンサーパッチを提案することで、様々な配置を可能とし、センサーモジュールとタイヤの内部表面の結合度及び結合信頼性を確保することができるという第４効果を有する。
【図面の簡単な説明】
【００２８】
【図１】本発明のバンドタイプの実施例及びセンサー挿入ホール備えタイプの実施例の両方によるタイヤセンサー設置構造の断面模式図である。
【図２】本発明の一実施例によるタイヤセンサー設置構造の平面図である。
【図３】本発明の一実施例によるセンサーパッチの平面図である。
【図４】本発明の一実施例によるセンサーパッチを２つ備えるタイヤセンサー設置構造の平面図である。
【図５】本発明の一実施例によるセンサーパッチを３つ備えるタイヤセンサー設置構造の平面図である。
【図６】本発明の一実施例による特殊形状からなるセンサーパッチを備えるタイヤセンサー設置構造の平面図である。
【図７】本発明の一実施例による特殊形状からなるセンサーパッチを備えるタイヤセンサー設置構造の平面図である。
【図８】本発明のセンサー挿入ホール備えタイプの一実施例によるセンサーパッチ 形状の平面図である。
【図９】センサー挿入ホール備えタイプの一実施例によるタイヤセンサー設置構造の平面図である。
【図１０】センサー挿入ホール備えタイプの一実施例によるタイヤセンサー設置構造の平面図である。
【図１１】本発明のバンドタイプ及びセンサー挿入ホール備えタイプの一実施例によるフィルム形態の加圧部−タイヤ付着防止構造の適用を説明する断面模式図である。
【図１２】本発明のバンドタイプ及びセンサー挿入ホール備えタイプの一実施例による立体形状の加圧部−タイヤ付着防止構造の適用を説明する断面模式図である。
【図１３】本発明のセンサー挿入ホール備えタイプの一実施例による立体形状の加圧部−タイヤ付着防止構造の適用を説明する断面模式図である。
【発明を実施するための形態】
【００２９】
本発明は、様々な変形を加えることができ、様々な実施例を有することができるため、特定の実施例を図面に例示して詳しく説明しようとする。しかし、これは本発明を特定の実施形態により限定しようとするのではなく、本発明の思想及び技術範囲に含まれる全ての変形、均等物乃至代替物を含むものと理解すべきである。各図面を説明しながら類似な参照符号を類似な構成要素に対して使用した。
【００３０】
ある構成要素が他の構成要素に“連結され”ているか“接続され”ているとされているときは、その他の構成要素に直接的に連結されているか、または接続されていることもできるが、その間に他の構成要素が存在することもあると理解されるべきである。その反面、ある構成要素が他の構成要素に“直接連結され”ているか“直接接続され”ているとされているときは、その間に他の構成要素が存在しないものと理解されるべきである。
【００３１】
本出願において使用した用語は、ただ特定の実施例を説明するために使用されたものであり、本発明を限定しようとする意図ではない。単数の表現は文脈上明らかに異なる意味ではない限り、複数の表現を含む。
【００３２】
本出願において、“含む”または“有する”などの用語は、明細書上に記載された特徴、数字、段階、動作、構成要素、部品またはこれらを組み合わせたものが存在することを指定するためのものであって、一つまたはそれ以上の他の特徴や数字、段階、動作、構成要素、部品またはこれらを組み合わせたものの存在または付加可能性を予め排除しないものと理解すべきである。
【００３３】
以下、添付の図面を参照に、本発明の好ましい実施例をより詳しく説明しようとする。以下、図面上の同じ構成要素については同じ参照符号を使用し、同じ構成要素についての繰り返しての説明は省略する。
【００３４】
本発明は、タイヤの状態を集めるセンサーモジュールを上記タイヤの内部表面上の設置地点３に設置するセンサー設置構造に関するもので、大きく、センサーモジュールを内部に含むセンサーモジュールハウジング１０、センサーモジュールハウジング１０を設置地点３に密着及び保持する機能を有する一つ以上のセンサーパッチ２０を主要構成要素として有する。
【００３５】
以下、各構成要素別に詳述することにする。
【００３６】
センサーモジュールハウジング１０は、センサーモジュールを内部に含む第１機能、後述のセンサーパッチ２０による下方圧力を受ける上面を備える形状を有する第２機能、センサーパッチ２０との結合を鞏固化して設置地点３からセンサーモジュールハウジング１０の離脱を防止する特殊構造を備える第３機能を行う。
【００３７】
本発明においてセンサーモジュールは、一つ以上のセンサー素子及びこれらが実装される基板などを含み、外部に位置するコントローラからの信号を受信したり、センサー素子が集めたタイヤ内部/路面データなどを送信する通信素子及びアンテナなどを含むことができる。センサー素子が集める情報としては、タイヤの内部圧力、内部温度、路面状態、タイヤ各部位の磨耗具合、車両走行状態、各タイヤの縦/横加速度などの情報を含むことができるが、これに限定するものではない。
【００３８】
図１及び図２を参照したとき、センサーモジュールハウジング１０は、内部にセンサーモジュールを堅固に据置するための据置構造を備えなければならず、センサーモジュールハウジング１０の下面の形状は、長方形（正方形）、正多角形、円、楕円などで構成することができるが、これに限定するものではない。また、センサーモジュールハウジング１０は、後述のセンサーパッチ２０が作用する下方圧力を受けるための上面を備えているべきであるが、このような上面の形状は、下面の形状と同じように設定することもできるが、互いに異なっても構わない。ただし、タイヤの内部表面と安定して密着するために、センサーモジュールハウジング１０の下面はその面積において、上面以上になるように設計することが好ましい。
【００３９】
また、センサーモジュールハウジング１０は、設置地点３からセンサーモジュールハウジング１０の離脱を防止する特殊構造をさらに備えることができるが、これはセンサーパッチ２０と関連しているため、これについては後述の。
【００４０】
センサーパッチ２０は、一方向が長く形成されるバンドタイプの形状を有する一実施例と、センサーパッチ２０の縁の全て（または一部）が結合部で形成される一実施例とに分けれるが、前者はバンドタイプの形状において両端に結合部が形成され、両結合部の間の領域に加圧部が形成されるため、センサーモジュールハウジング１０は、加圧部の側面を通じて加圧部の底面から挿入される構成をとることになる。その反面、加圧部の側面を通じて加圧部の底面から挿入されることは不可能であるか容易ではないため、センサーパッチ２０の所定の部位にセンサー挿入ホールを形成する構成をとることになる。以下、前者と後者の類型についてそれぞれ説明する。図１は、バンドタイプの実施例だけでなく、センサー挿入ホールを備える実施例の全てを説明する断面模式図であることを参考されたい。
【００４１】
<実施例１−バンドタイプ>
図３を参照したとき、センサーパッチ２０は、縁のうち所定の部位が上記タイヤの内部表面と結合する結合部２１及び上記センサーモジュールハウジング１０を上記設置地点３に密着させ、密着状態を保持する機能を備える加圧部２２を備える。センサーパッチ２０は、一つの部材からなる状態で、タイヤの内部表面と結合する部位を結合部２１と称し、伸長してから収縮しながらセンサーモジュールハウジング１０と接触して下方加圧する部位を加圧部２２と称することができ（すなわち、結合部２１を除いたセンサーパッチ２０の残りの部位を加圧部２２とすることができる）、さらに、結合部２１と加圧部２２をそれぞれ別途に整形した後、結合して構成することもできる。
【００４２】
センサーパッチ２０は、加圧部２２を中心として両方向に少なくとも２地点の結合部２１を備えなければならない。すなわち、本発明のセンサーパッチ２０は、両端部にそれぞれ形成された結合部２１がタイヤの内部表面に固定された状態で、その間の部分である加圧部２２の伸縮性を活用する原理で利用する。言い換えると、結合部２１は、センサーパッチ２０の縁のうち所定の部位に形成されるが、一例として、長方形（バンド）形状のセンサーパッチ２０の場合には、結合部２１を２つの短辺の周囲の領域（バンドの両側端部のそれぞれ）に形成することが好ましく、この際、２つの長辺の周囲の領域は、タイヤの内部表面と結合されずにオープンされ、センサーモジュールハウジング１０の設置の際にセンサーモジュールハウジング１０が出入りする入出口を提供することになる。
【００４３】
センサーパッチ２０は、伸縮可能な素材からなり、これにより、加圧部２２は、センサーモジュールハウジング１０が設置された状態（設置状態）とセンサーモジュールハウジング１０の設置の前の状態や設置の後脱去された状態（離脱状態）での伸長方向への長さが相互異なることができるようになる。センサーパッチ２０の素材は、弾性体と見なされ、固有の弾性係数を保有することになり、伸長方向への変形長さに比例して収縮力が発生し（フックの法則）、このような収縮力が、センサーモジュールハウジング１０が設置されたとき、センサーパッチ２０がセンサーモジュールハウジング１０の上面に加えることになる下方圧力の源泉になる。
【００４４】
図３を参照したとき、センサーパッチ２０の形状は、円形、楕円形、長方形のほか、様々な形状を含むことができ、加圧部２２の形状は、センサーパッチ２０の形状によって変わる。特に、長方形の形状を有する場合、これをバンド形状と称することができる。加圧部２２の大きさは、センサーモジュールハウジング１０の大きさを踏まえて決定しなければならない。また、加圧部２２の伸長方向への初期長さとセンサーモジュールハウジング１０の装着状態での長さ（装着後の長さ）との違いも設計対象になるが、その違いが大きくなりすぎる場合、センサーパッチ２０の特定の部位が伸長し過ぎて破断が発生することがあり、センサーパッチ２０の素材の弾性係数が大きい場合、センサーパッチ２０の伸長に大きな力が必要で設置が難しいことがあり、センサーパッチ２０の素材が伸縮性が小さい場合、最初から設置が不可能であることもできるためである。
【００４５】
ただし、図６及び図７を参照したとき、センサーパッチ２０の形状は、必ずしも円形、楕円形、長方形などに限定されなくても良い。このような場合にもセンサーモジュールハウジング１０は、加圧部２２の側面の露出した部位に挿入することは自明である。
【００４６】
結合部２１は、様々な形状に形成することができ、その大きさも定められたものではないが、結合部２１のタイヤの内部表面との接触面積が大きいほど、タイヤの内部表面とセンサーパッチ２０との結合力をさらに大きく形成することができることを考えて決定しなければならず、さらには加圧部２２の大きさが大きくなると、結合部２１の大きさも大きく設定することが好ましい。
【００４７】
図１を参照したとき、左側に図示された実施例によると、結合部２１がタイヤの内部表面に一体化され、外部から観察したとき、タイヤの内部表面と結合部２１の上面との段差がないか、センサーパッチ２０の厚さより小さいことがあり得る。これは、センサーパッチ２０とタイヤの内部表面との結合を加硫工程などを通じて行う場合の実施例に該当するものであるが、加硫工程前の結合部２１の予定部位が加硫工程の間に、タイヤの内部表面に融着して一定化することによる。従って、このような実施例の場合にも結合部２１が不在することではないことは明らかである。
【００４８】
センサーパッチ２０の厚さは、全ての部位において同じ厚さに設計することもできるが、構造的に特定部位が他の部位に比べてより多く伸長される傾向があれば、該当部位の厚さをより厚く設定することができ、特定部位が他の部位に比べて少なく伸長される特徴があれば、該当部位の厚さをより薄く設定することが考えられる。
【００４９】
センサーモジュールハウジング１０の設置以降、センサーパッチ２０の下方圧力により、センサーモジュールハウジング１０は、タイヤの内部表面の法泉方向に力を受けることになるが、センサーパッチ２０により加えられる力がセンサーモジュールハウジング１０の離脱を完全に防止できるものではないが、これは、加圧部２２の表面はタイヤの内部表面と結合されていないためである。すなわち、センサーパッチ２０にセンサーモジュールハウジング１０が設置された場合であっても、センサーモジュールハウジング１０に対してタイヤの内部表面と平行である衝撃力が加えられると、センサーモジュールハウジング１０はセンサーパッチ２０と設置地点３に対してスライディング変位を有することができ、このようなスライディング変位が蓄積すると、ついに、センサーモジュールハウジング１０が設置地点３から離脱（脱去）することができるためである。
【００５０】
これに本発明では、センサーモジュールハウジング１０が設置地点３から側方向に離脱することを防止する機能を有するようにするため、次のような構成を提案する。図２、図４乃至図７を参照すると、センサーモジュールハウジング１０は、上面に所定形状の固定突部が形成され、センサーパッチ２０は、固定突部１１が挿入される固定ホール部を備え、上記固定ホール部２３及び上記固定突部１１は互いに結合するようにすることができる。
【００５１】
固定突部１１の形状に関するパラメータとしては、固定突部１１の高さと断面形状を挙げることができる。固定突部１１の高さが低すぎるように形成されると、後述の固定ホール部２３から離脱する可能性があることを留意すべきである。固定突部１１の断面形状は、円、楕円、（正）多角形など様々な形状を含むことができるが、センサーパッチ２０に形成される固定ホール部２３の形状に関連して、結合の容易性を考えると、円形断面に設定することが好ましい。固定突部１１の内部は、空き空間に形成することもできるが、外部に突出している形状的な特徴を考えると、その内部にセンサーモジュールに備えられるアンテナなどの構造を備えるようにすることができる。
【００５２】
固定ホール部２３の形状は、様々な形状に設定することができるが、円の形状に設定する場合、固定突部１１の断面形状が円、楕円、多角形などに設定されてもこれらを全て収めることができることが考えられる。固定ホール部２３の大きさは、固定突部１１の大きさよりは大きいように計画しなければならないが、固定ホール部２３及び固定突部１１の結合公差を考えなければならず、さらに、センサーパッチ２０が基本的に弾性を持っているため、センサーパッチ２０のセンサーモジュールハウジング１０の上面に対する下方圧力により、時間が経つにつれ固定ホール部２３の大きさが徐々に大きくなり得ることに留意する。
【００５３】
一つのタイヤセンサー設置構造において、センサーパッチ２０は、一つ以上が備えられることができ、特に、２つ以上のセンサーパッチ２０が備えられる場合、センサーパッチ２０が作用できる下方圧力の大きさが大きくなるため、センサーモジュールの装着信頼性を高めることができる。また、センサーパッチ２０を２つ以上備える場合、互いに交差するように配置され、それぞれの加圧部２２がいずれも上記設置地点３上に位置するようにすることが好ましく、さらに、それぞれのセンサーパッチ２０を設置地点３を中心として等角間隔配置する場合、センサーモジュールハウジング１０に作用する力の平衡を確保することがさらに容易である。図４及び図５を参照したとき、２つのセンサーパッチ２０を備える場合、全体的に‘＋’の配置形状を有することになり、３つのセンサーパッチ２０を備える場合、全体的に‘＊’の配置形状を有することになるが、このような実施例に限定するものではない。
【００５４】
ただし、センサーモジュールハウジング１０の形状によって等角間隔に２つ以上のセンサーパッチ２０を配置することが、あえて回転モメントの和を０ではないようにして、結果的に衝撃力によりセンサーモジュールハウジング１０が転覆して設置地点３から離脱する可能性があることを考えなければならない。
【００５５】
センサーパッチ２０の素材は、エチレン酢酸ビニル共重合体（ＥＶＡ）、合成ゴム、天然ゴム、ウレタンからなる群から選択される少なくとも１種以上のホモ重合体、またはこれらの単量体の共重合体からなることができる。もちろん、ラテックスなどの素材を適用することもできる。センサーパッチ２０は、基本的に、所定の弾性を保有することができるように組成物の設計を行わなければならない。
【００５６】
図１を参照したとき、本発明のタイヤセンサー設置構造は、タイヤ内部の表面に形成されることができ、タイヤの内部の側面（ｉｎｎｅｒ  ｓｉｄｅ  ｗａｌｌ）部の表面、リム（ｒｉｍ）の表面及びインナーライナー上に形成されることができ、好ましくはタイヤのインナーライナー２上に形成されることができる。この場合、センサーパッチ２０は、インナーライナー２の厚さの２０ 〜１２０％の厚さに形成することができるが、一般的に１６インチ乗用タイヤのインナーライナー２の厚さは１．５ｍｍに形成されることを考えると、２０パーセント未満に形成される場合、センサーパッチ２０の厚さが薄すぎてセンサーモジュールハウジング１０の挿入の際に破断が発生するなどの耐久性の問題が発生する可能性が高く、１２０パーセントを超えて形成される場合、センサーパッチ２０の付着時または付着以降、該当部位の質量増加分が無視できる水準を超えるため、局部的に均一化しない遠心力が生じてしまい、これはタイヤの偏磨耗を引き起こすなどの問題を発生させ得ることを考える。
【００５７】
また、センサーパッチ２０をインナーライナー２に形成する場合、センサーパッチ２０の素材をインナーライナー２と同じ材質にすることができるが、これは特に、 後述のとおり、センサーパッチ２０とインナーライナー２を加硫工程により結合する場合、別途の接着剤を使用しなくてもよく、互いに結合性を極大化することができるなどの有利な点があることを考える。
【００５８】
次は、センサーパッチ２０とタイヤの内部表面との結合工程など、本発明のタイヤセンサー設置構造の製造方法に関して説明する。
【００５９】
上記センサーパッチ２０の結合部２１と上記タイヤの内部表面との結合工程は、接着工程または溶着工程からなることができる。接着工程は、所定の組成を有する接着剤を使用し、溶着工程は、上記結合部２１または上記タイヤの内部表面の所定の部位に熱を加えて部分溶融させた後、結合部２１とタイヤ内部の所定の部位を突き合わせて圧力を加えて接着する工程である。使用される接着剤の組成や、溶着工程での溶融温度などは、タイヤの内部表面の組成やセンサーパッチ２０の組成によって異なるように選択されなければならない。
【００６０】
上記結合部２１と上記タイヤの内部表面との結合は、加硫工程からなることができる。加硫工程は、未加黄のグリーンタイヤを加硫金型に装着させた後、熱と圧力を加えてタイヤを所定の形状に整形すると同時にタイヤの要求物性を確保する工程であるが、本発明でのセンサーパッチ２０をタイヤの内部表面（インナーライナー２）に結合することに活用することができる。
【００６１】
加硫工程に先たち、センサーパッチ２０とタイヤの内部表面（インナーライナー２）は、物理的に重ねて当てる方式（非接着式）で用意することができるが、所定の接着剤を用いて結合部２１をタイヤの内部表面に仮接して準備することができるのは勿論である。同時に、加硫工程中にセンサーパッチ２０の加圧部２２の表面がタイヤの内部表面と互いに付着することを防止するために、加硫工程の前に、加圧部２２の下部に加圧部−タイヤ付着防止構造３０を位置させることができる。このような加圧部−タイヤ付着防止構造３０は、少なくともその表面が加硫工程の温度で溶融しない高温ポリマー材質からなることが求められる。
【００６２】
図１１を参照したとき、加圧部−タイヤ付着防止構造３０は、その形状が厚さの薄いフィルム形状であることができるが、この場合、加圧部の伸長方向の初期長さを最小にすることができ、このような実施例は、適用されるセンサーモジュールハウジング１０の高さが小さい場合に適用することが好ましい。その反面、図１２を参照したとき、採択されるセンサーモジュールハウジング１０の高さが高い場合、加圧部−タイヤ付着防止構造３０は、所定の高さを有する立体形状を有するものを適用することが好ましいことがあるが、このような場合、フィルム形状の加圧部−タイヤ付着防止構造３０を適用する場合、加圧部２２の変形量（長さ）が大きくなりすぎなければならないため、センサーパッチ２０が破断したり、全くセンサーモジュールハウジング１０の装着が不可能になったりすることがあるためである。
【００６３】
加圧部−タイヤ付着防止構造３０の厚さは、上記センサーパッチ２０の厚さの２０乃至５０パーセントであることができる。その厚さがセンサーパッチ２０の厚さの５０パーセントより大きいと、加硫時の圧力が不均一に作用することがあり、２０パーセントより小さいと、センサーモジュールハウジング１０の挿入時に、パッチの伸長量が大きくなりすぎて破断などの問題が発生する可能性があることを考える。
【００６４】
また、加圧部−タイヤ付着防止構造３０は、加硫工程を通じてセンサーパッチ２０の結合部２１とタイヤの内部表面との結合が完了した以降には、除去しなければならないが、除去時期は、センサーモジュールハウジング１０の装着以前の任意の時点であれば十分である。
【００６５】
つまり、加硫工程を利用した結合部２１とタイヤの内部表面との結合は、加硫準備段階、加硫段階を含んでなり、上記加硫段階に先たち、加圧部２２とタイヤの内部表面との間に加圧部−タイヤ付着防止構造３０を設置するのである。
【００６６】
以下、図１乃至図２を参照しながら、本発明のタイヤセンサー設置構造の製造方法について説明する。タイヤセンサー設置構造の使用は、タイヤの出庫前または出庫後になされることができる。
【００６７】
最初に、加圧部２２に力を加えてセンサーパッチ２０を上方向に伸長させる。このような段階に先たち、センサーモジュールハウジング１０の一部位に臨時または永久固定用接着剤を塗布する段階をさらに含むことができる。臨時固定用の接着剤の接着力は強い必要はない反面、永久的にセンサーモジュールハウジング１０を固定部と固定しようとする場合、接着力の強い接着剤を適用することができる。このように接着剤をさらに適用する場合、センサーパッチ２０が提供する下方圧力に接着剤の接着力がさらに付加されるため、センサーモジュールハウジング１０の装着信頼性を増大させることができる。また、２つ以上のセンサーパッチ２０を適用する場合には、全てのセンサーパッチ２０を上方向に伸長させなければならないのは勿論である。
【００６８】
次に、加圧部２２の下部にセンサーモジュールハウジング１０を位置させる。加圧部２２の側面はオープンされているため、加圧部２２の側面を通じてセンサーモジュールハウジング１０を挿入する。
【００６９】
三番目に、センサーモジュールハウジング１０の固定突部１１とセンサーパッチ２０の固定ホール部２３を互いに結合する。また、２つ以上のセンサーパッチ２０を適用する場合には、全てのセンサーパッチ２０の固定ホール部２３の中心それぞれの中心を一致させた後、固定突部１１を一気に結合しなければならない。
【００７０】
四番目に、センサーパッチ２０を伸長させる力を除去して、センサーパッチ２０が収縮しながらセンサーモジュールハウジング１０に下方圧力を加えるようにし、五番目に、センサーパッチ２０がセンサーモジュールハウジング１０のタイヤの内部表面との密着状態を保持するようにする。
【００７１】
本発明のタイヤセンサー設置構造は、タイヤに１つだけ備えられることもできるが、タイヤセンサー設置構造を複数個備えるようにすることができる。一般的に、タイヤの内部表面に作用する横力、加速度などのタイヤを通じて集められるタイヤの状態情報は、タイヤの横方向の位置によって変わるため、タイヤセンサー設置構造を複数個だけ備える場合、それぞれのタイヤセンサー設置構造は、一つの横方向の位置を連結する円周上に配置されることが好ましいが、これに限定するものではない。また、複数個のタイヤセンサー設置構造を備える場合、各タイヤセンサー設置構造は、相互間に等角間隔を形成するようにすることが好ましいが、これはタイヤセンサー設置構造は、それぞれタイヤの回転慣性モメント（ｍｏｍｅｎｔ  ｏｆ  ｉｎｔｅｒｔｉａ）に影響するため、非対称的に設置されたタイヤの設置構造は、タイヤのバランスを確保できないようにすることがあるためである。これに２つのタイヤ設置構造が適用される場合、互いに１８０度をなすようにし、３つのタイヤの設置構造を適用する場合、互いに１２０度を成すようにすることができるが、これはあくまで複数個のタイヤ設置構造が互いに同じ場合に限定するもので、さらに、複数個のタイヤ設置構造が相互同じ場合でも、必ずしも互いに等角間隔に配置されるべきものではない。
【００７２】
<実施例２−センサー挿入ホール備えタイプ>
図８を参照したとき、センサーパッチ２０は、円、楕円、多角形のうちいずれかの形状からなり、加圧部２２上の所定の位置には、大きさが拡張されて上記センサーモジュールハウジング１０が挿入された後に、大きさが初期状態に復元されるセンサー挿入ホール２７が形成されており、センサーパッチ２０と上記タイヤの内部表面からなる空間の内部に上記センサーモジュールハウジング１０が固定される構成をとることができる。
【００７３】
このような実施例においても、センサーモジュールを内部に含むセンサーモジュールハウジング１０、伸縮可能な素材からなり、上記タイヤの内部表面と結合する結合部２１及び上記センサーモジュールハウジング１０を上記設置地点３に密着させ、密着状態を保持する機能を備える加圧部２２をそれぞれ含む一つ以上のセンサーパッチ２０を含んでなり、上記加圧部２２は、伸長してから収縮しながら上記センサーモジュールハウジング１０の上面に下方圧力を加える機能を行うことは自明である。
【００７４】
センサーパッチ２０は、一つの部材からなる状態で、タイヤの内部表面と結合する部位を結合部２１と称し、伸長してから収縮しながらセンサーモジュールハウジング１０と接触して下方加圧する部位を加圧部２２と称することができ（すなわち、結合部２１を除いたセンサーパッチ２０の残りの部位を加圧部２２と称することができる）、さらに、結合部２１と加圧部２２をそれぞれ別途に整形した後結合して構成することもできる。
【００７５】
すなわち、本発明のセンサーパッチ２０は、形成された結合部２１がタイヤの内部表面に固定された状態で加圧部２２の伸縮性を活用する原理で利用する。
【００７６】
図９及び図１０を参照したとき、結合部２１は、上記センサーパッチ２０の外郭縁の全体に所定の幅に形成されることができるが、外郭縁のうち一部のみに結合部２１が形成されることを排除はしない。結合部２１は、様々な形状に形成することができ、その大きさ（結合部２１の幅）も定められたものではないが、結合部２１のタイヤの内部表面との接触面積が大きいほどタイヤの内部表面とセンサーパッチ２０との結合力をさらに大きく形成することができることを考えて決定することが必要で、さらに、加圧部２２の大きさが大きくなると、結合部２１の大きさも大きく設定することが好ましい。
【００７７】
センサーパッチ２０は、伸縮可能な素材からなり、これによって、加圧部２２は、センサーモジュールハウジング１０が設置された状態（設置状態）とセンサーモジュールハウジング１０の設置以前や設置後脱去された状態（離脱状態）での面積が互いに異なるようになるものである。センサーパッチ２０の素材は、弾性体と見なされ、固有の弾性係数を保有することになり、変形具合に比例して収縮力が発生し（フックの法則）、このような収縮力がセンサーモジュールハウジング１０が設置されたとき、センサーパッチ２０がセンサーモジュールハウジング１０の上面に加えることになる下方圧力の源泉になる。
【００７８】
加圧部２２の大きさは、センサーモジュールハウジング１０の大きさを考えて決定しなければならない。また、加圧部２２の初期面積とセンサーモジュールハウジング１０の装着状態での面積との違いも設計対象となるるが、その違いが大きくなりすぎる場合、センサーパッチ２０の特定部位が伸長しすぎて破断が発生することができ、センサーパッチ２０の素材の弾性係数が大きい場合、センサーパッチ２０の伸長に大きい力が必要となって設置が難しくなり得、センサーパッチ２０の素材が伸縮性が小さい場合、全く設置が不可能であることもできるためである。
【００７９】
図１を参照したとき（図１はセンサー挿入ホール２７を備える本実施例の断面模式図でもある）、左側に図示された実施例によると、結合部２１がタイヤの内部表面に一体化され、外部から観察したとき、タイヤの内部表面と結合部２１の上面との段差がないか、センサーパッチ２０の厚さより小さいことができる。これは、センサーパッチ２０とタイヤの内部表面との結合を加硫工程などを通じて行う場合の実施例に該当するものであるが、加硫工程前の結合部２１の予定部位が加硫工程中に、タイヤの内部表面に融着して一体化されることによる。従って、このような実施例の場合にも結合部２１が不在することではないことは明らかである。
【００８０】
センサーパッチ２０の厚さは、全ての部位において同じ厚さに設計することもできるが、構造的に特定部位が他の部位に比べてより多く伸長する傾向があれば、該当部位の厚さをより厚く設定することができ、特定部位が他の部位に比べて少なく伸長する特徴があれば、該当部位の厚さをより薄いように設定することを考えることができる。
【００８１】
センサーモジュールハウジング１０の設置以降、センサーパッチ２０の下方圧力により、センサーモジュールハウジング１０は、タイヤの内部表面の法泉方向に力を受けることになるが、センサーパッチ２０により加えられる力がセンサーモジュールハウジング１０が設置位置から外れて離隔されることを完全に防止できるのではないが、これは、加圧部２２の表面は、タイヤの内部表面と結合していないためである。すなわち、センサーパッチ２０にセンサーモジュールハウジング１０が設置された場合であっても、センサーモジュールハウジング１０に対してタイヤの内部表面と平行である衝撃力が加えられると、センサーモジュールハウジング１０は、センサーパッチ２０と設置地点３に対してスライディング変位を有することができるという問題点があるため、本発明では、センサーモジュールハウジング１０が設置地点３から離隔されることを防止する機能を有するようにするため、次のような構成を提案する。
【００８２】
図１０を参照すると、センサーモジュールハウジング１０は、上面に所定形状の固定突部１１が形成され、センサー挿入ホール２７は、固定突部１１が挿入されて互いに結合され、センサーモジュールハウジング１０が設置地点３から側方向に離脱することを防止する機能をさらに行うようにするのである。すなわち、センサー挿入ホール２７は、センサー挿入を可能にすると同時にセンサーモジュールハウジング１０を側方向固定する機能をする。
【００８３】
固定突部１１の形状と関連するパラメータとしては、固定突部１１の高さと断面形状を挙げることができる。固定突部１１の高さが低すぎるように形成されると、センサー挿入ホール２７から離脱する可能性があることを留意しなければならない。固定突部１１の断面形状は、円、楕円、（正）多角形などの様々な形状を含むことができるが、センサーパッチ２０に形成されるセンサー挿入ホール２７の形状と関連して、結合の容易性を考えると、円形断面に設定することが好ましい。固定突部１１の内部は、空き空間に形成することもできるが、外部に突出しているという形状的な特徴を考えると、その内部にセンサーモジュールに備えられるアンテナなどの構造を備えるようにすることができる。
【００８４】
センサー挿入ホール２７の形状は、様々な形状に設定することができるが、円の形状に設定する場合、固定突部１１の断面形状が、円、楕円、多角形などに設定されるとしても、これらを全て収めることができることを考えることができる。センサー挿入ホール２７の大きさは、固定突部１１の大きさよりは大きいように計画されなければならないが、センサー挿入ホール２７及び固定突部１１の結合交差を考えなければならず、さらに、センサーパッチ２０が基本的に弾性を保有しているため、センサーパッチ２０のセンサーモジュールハウジング１０の上面に対する下方圧力により、時間が経つにつれてセンサー挿入ホール２７の大きさが徐々に大きくなり得ることに留意する。
【００８５】
センサーパッチ２０の素材は、エチレン酢酸ビニル共重合体（ＥＶＡ）、合成ゴム、天然ゴム、ウレタンからなる群から選択される少なくとも１種以上のホモ重合体またはこれらの単量体の共重合体からなることができる。勿論、ラテックスなどの素材を適用することもできる。センサーパッチ２０は基本的に、所定の弾性を保有することができるように組成物の設計を行わなければならない。
【００８６】
図１を参照したとき、本発明のタイヤセンサー設置構造は、タイヤ内部の表面に形成されることができ、タイヤの内部の側面（ｉｎｎｅｒ  ｓｉｄｅ  ｗａｌｌ）部の表面、リム（ｒｉｍ）の表面及びインナーライナー２上に形成されることができ、好ましくはタイヤのインナーライナー２上に形成されることができる。この場合、センサーパッチ２０は、インナーライナー２の厚さの２０〜１２０％の厚さに形成することができるが、一般的に１６インチ乗用タイヤのインナーライナー２の厚さは１．５ｍｍに形成されることを考えると、２０パーセント未満に形成される場合、センサーパッチ２０の厚さが薄すぎてセンサーモジュールハウジング１０の挿入の際に破断が発生するなどの耐久性の問題が発生する可能性が高く、１２０パーセントを超えて形成される場合、センサーパッチ２０の付着時または付着以降、該当部位の質量増加分が無視できる水準を超えるため、局部的に均一化されない遠心力が発生することになり、これはタイヤの偏磨耗を引き起こすなどの問題を発生させ得ることを考える。
【００８７】
また、センサーパッチ２０をインナーライナー２に形成する場合、センサーパッチ２０の素材をインナーライナー２と同じ材質にすることができるが、これは特に後述のとおり、センサーパッチ２０とインナーライナー２を加硫工程により結合する場合、別途の接着剤を使用しなくてもよく、互いに結合性を極大化することができるなどの有利な点があることを考える。
【００８８】
次は、センサーパッチ２０とタイヤの内部表面との結合工程など、本発明のタイヤセンサー設置構造の製造方法と関連して説明する。
【００８９】
上記センサーパッチ２０の結合部２１と上記タイヤの内部表面との結合工程は、接着工程または溶着工程からなることができる。接着工程は、所定の組成を有する接着剤を使用し、溶着工程は、上記結合部２１または上記タイヤの内部表面の所定の部位に熱を加えて部分溶融させた後、結合部２１とタイヤ内部の所定の部位を突き合わせて圧力を加えて接着する工程である。使用される接着剤の組成や、溶着工程での溶融温度などは、タイヤの内部表面の組成やセンサーパッチ２０の組成によって異なるように選択されなければならない。このような工程による結合を行う場合、結合部２１の上面とタイヤの内部表面との段差は同じであるか小さくなる。
【００９０】
上記結合部２１と上記タイヤの内部表面との結合は、加硫工程からなることができる。加硫工程は、未加黄のグリーンタイヤを加硫金型に装着させた後、熱と圧力を加えてタイヤを所定の形状に整形すると同時にタイヤの要求物性を確保する工程であるが、本発明でのセンサーパッチ２０をタイヤの内部表面（インナーライナー２）に結合することに活用することができる。
【００９１】
加硫工程に先たち、センサーパッチ２０とタイヤの内部表面（インナーライナー２）は、物理的に重ねて当てる方式（非接着式）で準備することができるが、所定の接着剤を利用して結合部２１をタイヤの内部表面に仮接して準備できることは勿論である。同時に、加硫工程中にセンサーパッチ２０の加圧部２２の表面がタイヤの内部表面と互いに付着することを防止するために、加硫工程の前に、加圧部２２の下部に加圧部−タイヤ付着防止構造３０を位置させることができる。このような加圧部−タイヤ付着防止構造３０は、少なくともその表面が加硫工程の温度で溶融しない高温ポリマー材質からなることが求められる。
【００９２】
加圧部−タイヤ付着防止構造３０は、その形状が厚さの薄いフィルム形状であることができるが、この場合、加圧部２２の初期面積を最小にすることができ、このような実施例は、適用されるセンサーモジュールハウジング１０の高さが小さい場合に適用することが好ましい。
【００９３】
その反面、図１３を参照したとき、採択されるセンサーモジュールハウジング１０の高さが高い場合、加圧部−タイヤ付着防止構造３０は、所定の高さを有する立体形状を有することを適用することが好ましいことがあるが、このような場合、フィルム形状の加圧部−タイヤ付着防止構造３０を適用する場合、加圧部２２の変形量（長さ）が大きくなりすぎなければならないため、センサーパッチ２０が破断したり、全くセンサーモジュールハウジング１０の装着が不可能であったりすることがあり得るためである。
【００９４】
加圧部−タイヤ付着防止構造３０の厚さは、上記センサーパッチ２０の厚さの２０乃至５０パーセントであることができる。その厚さがセンサーパッチ２０の厚さの５０パーセントより大きいと、加硫時の圧力が不均一に作用することができ、２０パーセントより小さいと、センサーモジュールハウジング１０の挿入時に、パッチの伸長量が大きくなりすぎて破断などの問題が発生する可能性があることを考える。
【００９５】
また、加圧部−タイヤ付着防止構造３０は、加硫工程を通じてセンサーパッチ２０の結合部２１とタイヤの内部表面の結合が完了した以降は、除去しなければならないが、除去時期は、センサーモジュールハウジング１０の装着以前の任意の時点であれば十分である。加圧部−タイヤ付着防止構造３０の除去は、センサー挿入ホール２７を通じて行われるが、これを可能にさせるために、図１３に図示されたとおり、加圧部−タイヤ付着防止構造３０と一体化して形成され、センサー挿入ホール２７を通じて加圧部−タイヤ付着防止構造３０を除去するとき、把持して上方向に力を与える部位であるエゼクター３１を適用することができる。ただし、エゼクター３１を備える場合、加圧部−タイヤ付着防止構造３０が全体的により厚くなって加硫工程などで圧力が不均一に作用するという問題が発生し得ることを考えなければならない。
【００９６】
つまり、加硫工程を利用した結合部２１とタイヤの内部表面との結合は、加硫準備段階、加硫段階を含んでなり、上記加硫段階に先たち、加圧部２２とタイヤの内部表面との間に加圧部−タイヤ付着防止構造３０を設置することである。
【００９７】
以下、図９を参照しながら、本発明のタイヤセンサー設置構造の製造方法について説明する。タイヤセンサー設置構造の使用は、タイヤの出庫前または出庫後に行われることができる。
【００９８】
最初に、センサー挿入ホール２７に力を加えて大きさを拡大する。このような段階に先たち、センサーモジュールハウジング１０の一部位に臨時または永久固定用接着剤を塗布する段階をさらに含むことができる。臨時固定用の接着剤の接着力は強い必要はない反面、永久的にセンサーモジュールハウジング１０を固定部と固定しようとする場合、接着力の強い接着剤を適用することができる。このように、接着剤を追加適用する場合、センサーパッチ２０が提供する下方圧力に接着剤の接着力がさらに付加されるため、センサーモジュールハウジング１０の装着信頼性を増大させることができる。
【００９９】
次に、拡大されたセンサー挿入ホール２７を通じて上記センサーモジュールハウジング１０を挿入して加圧部２２の下部にセンサーモジュールハウジング１０を位置させる。この際、図１０に図示された実施例のように、センサーモジュールハウジング１０が固定突部１１を備える場合には、センサーパッチ２０のセンサー挿入ホール２７と固定突部１１を互いに結合する。
【０１００】
三番目に、上記センサー挿入ホール２７を拡大する力及び加圧部２２を上方向に変形保持する力を除去して、上記センサーパッチ２０が収縮しながら上記加圧部２２がセンサーモジュールハウジング１０に下方圧力を加えるようにする。
【０１０１】
四番目に、センサーパッチ２０がセンサーモジュールハウジング１０のタイヤの内部表面との密着状態を保持するようにする。
【０１０２】
本発明のタイヤセンサー設置構造は、タイヤに１つのみ備えられることもできるが、タイヤセンサー設置構造を複数個備えるようにすることができる。一般的に、タイヤの内部表面に作用する横力、加速度など、タイヤを通じて集められるタイヤの状態情報は、タイヤの横方向位置によって変わるため、タイヤセンサー設置構造を複数個だけ備える場合、それぞれのタイヤセンサー設置構造は、一つの横方向位置を連結する円周上に配置されることが好ましいが、これに限定するものではない。また、複数個のタイヤセンサー設置構造を備える場合、各タイヤセンサー設置構造は、相互間に等角間隔を形成するようにすることが好ましいが、これはタイヤセンサー設置構造は、それぞれタイヤの回転慣性モメント（ｍｏｍｅｎｔ  ｏｆ  ｉｎｔｅｒｔｉａ）に影響を及ぼすため、非対称的に設置されたタイヤ設置構造は、タイヤのバランスを確保することができないようにすることができるためである。これに２つのタイヤ設置構造が適用される場合、互いに１８０度をなすようにし、３つのタイヤ設置構造を適用する場合、互いに１２０度をなすようにすることができるが、これはあくまで複数個のタイヤ設置構造が互いに同じ場合に限定し、さらに、複数個のタイヤ設置構造が互いに同じ場合であっても必ず互いに等角間隔に配置される必要はない。
【０１０３】
本記述した説明は、本発明の最上のモードを提示しており、本発明を説明するために、また当業者が本発明を製作及び利用することができるようにするための例を提供している。このように作成された明細書は、その提示された具体的な用語に本発明を制限するものではない。
【０１０４】
従って、詳述した例を参照して本発明を詳しく説明したが、当業者であれば本発明の範囲を外れることなく、本例に対する改造、変更及び変形を加えることができる。つまり、本発明が意図する効果を達成するために、図面に図示された全ての機能を別途に含むか、図面に図示された全ての手順を図示された手順とおりに従うべきではなく、そうでなくてもいくらでも請求項に記載された本発明の技術的な範囲に属することができることに注意する。
【符号の説明】
【０１０５】
１  タイヤ
２  インナーライナー （ｉｎｎｅｒ  ｌｉｎｅｒ）
３  設置地点
１０  センサーモジュールハウジング
１１  固定突部
２０  センサーパッチ
２１  結合部
２２  加圧部
２３  固定ホール部
２７  センサー挿入ホール
３０  加圧部−タイヤ付着防止構造
３１  エゼクター
【図１】
0006762204.tif 000002
【図２】
0006762204.tif 000003
【図３】
0006762204.tif 000004
【図４】
0006762204.tif 000005
【図５】
0006762204.tif 000006
【図６】
0006762204.tif 000007
【図７】
0006762204.tif 000008
【図８】
0006762204.tif 000009
【図９】
0006762204.tif 000010
【図１０】
0006762204.tif 000011
【図１１】
0006762204.tif 000012
【図１２】
0006762204.tif 000013
【図１３】
0006762204.tif 000014